(57)【要約】【課題】  従来の排水蓋装置にあっては、該排水蓋におけるガイド杆のボスをくぼみに支持させることで排水口は全開となり、また、くぼみに対する係合を解除することで蓋は自重で落下して排水口を塞ぐものであるため、排水量の調整が行えず、また排水蓋を持ち上げながら回転するものでるため操作性が悪いといった問題があった。【解決手段】  ボール１の底面に配置されてボール内の排水を行う、閉状態用谷部５ｃと該閉状態用谷部と傾斜部５ｆを介して連接された少なくとも１個以上の開状態用谷部５ｄ，５ｅとが形成された排水栓５と、該排水栓に嵌挿され回転することで前記閉状態用谷部と開状態用谷部とに変移して係合される突起６ｃが外周面に形成された排水蓋とより構成した洗面・洗髪ボール用排水蓋装置である。【選択図】        図１
2010162097.tif 000002
【特許請求の範囲】
【請求項１】
ボールの底面に配置されてボール内の排水を行う、閉状態用谷部と該閉状態用谷部と傾斜部を介して連接された少なくとも１個以上の開状態用谷部とが形成された排水栓と、
該排水栓に嵌挿され回転することで前記閉状態用谷部と開状態用谷部とに変移して係合される突起が外周面に形成された排水蓋とより構成したことを特徴とする洗面・洗髪ボール用排水蓋装置。
【請求項２】
前記排水蓋に形成される突起が少なくとも２個形成され、かつ、前記排水栓の内周面に形成される閉状態用谷部と開状態用谷部とは少なくとも２組が形成され、前記少なくとも２個の突起が少なくとも同じ高さの２組の閉状態用谷部と開状態用谷部とに係合されることを特徴とする請求項１記載の洗面・洗髪ボール用排水蓋装置。
【請求項３】
前記排水栓の内周面に、深さの異なる開状態用谷部が２個以上設けられ、開栓時の開口の程度を２段以上選択できることを特徴とする請求項１または２記載の洗面・洗髪ボール用排水蓋装置。
【請求項４】
前記排水栓の内周面に形成される開状態用谷部の深さが異なる少なくとも２個である場合には、一方向には閉状態用谷部から開状態用谷部が順次高い位置となるように形成され、かつ、他方向には閉状態用谷部から開状態用谷部が順次低い位置となるように形成され、閉状態の排水蓋を一方向に回転すると排水蓋と排水口との隙間が大きくなり、他方向に回転すると排水蓋と排水口との隙間が小さくなるようにしたことを特徴とする請求項３記載の洗面・洗髪ボール用排水蓋装置。
【発明の詳細な説明】
【技術分野】
【０００１】
本発明は、洗面用ボールや洗髪用ボールの排水蓋を回転することで、少なくとも排水と止水を行うことができる洗面・洗髪ボール用排水蓋装置に関する。
【背景技術】
【０００２】
従来における洗面用ボールや洗髪用ボールにおける排水蓋装置としては、排水蓋を排水口に対して装着したり外したりすることで、ボール内に湯水を溜め、あるいはボール内の湯水を排出したものがあるが、この排水蓋にあっては、排水時には排水口が全開状態となってしまい徐々に排水するということが難しかった。
【０００３】
また、ボールの上面に設けられた摘みを押し下げたり引き上げたりして排水蓋を上下動させてボール内に湯水を溜め、あるいはボール内の湯水を排出するという構造のものもあった。この排水蓋装置にあっては排水量を適宜調整することが可能であるが、摘みの上下動によって排水蓋を上下動させるために摘みと排水蓋とをメカ的に連結する必要があり、構造が複雑でコストが高くなるといった問題があった。
【０００４】
さらに、実公平６−１４６８２号公報に開示された考案がある。この考案は、シャンプーボールの排水蓋であって、排水口を開放するには蓋を持ち上げて回転することでガイド杆をボスの頂面のくぼみ支持させることで蓋と排水口との間に隙間ができ、この隙間からボール内に貯留されている湯水が排水され、また、貯留するためには蓋を回転させてくぼみに支持されているガイド杆との係合離脱させることで、蓋の自重で開口部を塞ぐ構造のものである。
【先行技術文献】
【特許文献】
【０００５】
【特許文献１】実公平６−１４６８２号公報
【発明の概要】
【発明が解決しようとする課題】
【０００６】
前記した実公平６−１４６８２号公報に開示されている考案にあっては、比較的構造が簡単であるが、蓋におけるガイド杆のボスをくぼみに支持させることで排水口は全開となり、また、くぼみに対する係合を解除することで蓋は自重で落下して排水口を塞ぐものであるため、排水量の調整が行えず、また排水蓋を持ち上げながら回転するものでるため操作性が悪いといった問題があった。
【０００７】
本発明は前記した問題点を解決せんとするもので、その目的とするところは、ボールの底面に配置されてボール内の排水を行う、排水口の内周面に閉状態とする谷部と開状態とする少なくとも１つの谷部を形成された排水栓と、該排水栓に嵌め込まれ外周面に前記谷部と係合する突起を形成した排水蓋とより構成したことで、排水蓋を少なくとも開状態と閉状態とすることができると共に前記開状態とする谷部を複数個形成することで、開状態を複数段階に設定可能となり、従って、排水量の調整を行うことができる洗面・洗髪ボール用排水蓋装置を提供せんとするにある。
【課題を解決するための手段】
【０００８】
本発明の洗面・洗髪ボール用排水蓋装置は前記した目的を達成せんとするもので、請求項１の手段は、ボールの底面に配置されてボール内の排水を行う、閉状態用谷部と該閉状態用谷部と傾斜部を介して連接された少なくとも１個以上の開状態用谷部とが形成された排水栓と、該排水栓に嵌挿され回転することで前記閉状態用谷部と開状態用谷部とに変移して係合される突起が外周面に形成された排水蓋とより構成したことを特徴とする。
【０００９】
請求項２の手段は、前記した請求項１において、前記排水蓋に形成される突起が少なくとも２個形成され、かつ、前記排水栓の内周面に形成される閉状態用谷部と開状態用谷部とは少なくとも２組が形成され、前記少なくとも２個の突起が少なくとも同じ高さの２組の閉状態用谷部と開状態用谷部とに係合されることを特徴とする。
【００１０】
請求項３の手段は、前記した請求項１または２において、前記排水栓の内周面に、深さの異なる開状態用谷部が２個以上設けられ、開栓時の開口の程度を２段以上選択できることを特徴とする。
【００１１】
請求項４の手段は、前記した請求項３において、前記排水栓の内周面に形成される開状態用谷部の深さが異なる少なくとも２個である場合には、一方向には閉状態用谷部から開状態用谷部が順次高い位置となるように形成され、かつ、他方向には閉状態用谷部から開状態用谷部が順次低い位置となるように形成され、閉状態の排水蓋を一方向に回転すると排水蓋と排水口との隙間が大きくなり、他方向に回転すると排水蓋と排水口との隙間が小さくなるようにしたことを特徴とする。
【発明の効果】
【００１２】
本発明は、前記したように排水口側に閉状態用谷部と少なくとも１個以上の開状態用谷部とを形成し、排水蓋に前記谷部と係合する突起を形成し、また、各谷部は傾斜部を介して連接されていることで、排水蓋を持ち上げることなく回転するのみで排水口を閉状態と開状態とにすることができ、かつ、開状態用谷部を２個以上形成することで排水口よりの排水量を調整することができる。
【００１３】
また、前記排水蓋に形成される突起が少なくとも２個形成され、かつ、前記排水栓の内周面に形成される閉状態用谷部と開状態用谷部とを少なくとも２組形成し、前記少なくとも２個の突起が少なくとも同じ高さの２組の閉状態用谷部と開状態用谷部とに係合されることで排水蓋が傾くことがなく、従って、排水口の内周面から均一に排水されて常に一定量の排水が行われる。
【００１４】
さらに、前記排水栓の内周面に、深さの異なる開状態用谷部が２個以上設けられ、開栓時の開口の程度を２段階以上選択できるようにしたので、例えば、排水優先の時には開口度が大きな開栓状態にして排水量を多くし、静音優先のときには開口度が小さい開栓状態にして排水量を少なくするといった排水量の調整を行うことができる。
【００１５】
さらに、排水栓の内周面に形成された開状態用谷部の深さが異なる少なくとも２個である場合に、一方向には閉状態用谷部から開状態用谷部が順次高い位置となるように形成され、また、他方向には閉状態用谷部から開状態用谷部が順次低い位置となるように形成され、閉状態の排水蓋を一方向に回転すると排水蓋と排水口との隙間が大きくなり、他方向に回転すると排水蓋と排水口との隙間が小さくなるようにしたので、排水蓋が閉状態用谷部に位置している状態から一方向に回転すると排水量が多くなり、また、他方向に回転すると排水量が少なくなるといった効果が得られるものである。
【図面の簡単な説明】
【００１６】
【図１】本発明に係る第１実施例の洗面・洗髪ボール用排水蓋装置をボールに取付けた状態の断面図である。
【図２】（ａ）は排水が閉止位置の排水蓋の裏面図と排水蓋と排水栓との位置関係を示す側面図、（ｂ）は排水量が大きな状態の排水蓋の裏面図と排水蓋と排水栓との位置関係を示す側面図、（ｃ）は排水量が少ない状態の排水蓋の裏面図と排水蓋と排水栓との位置関係を示す側面図である。
【図３】排水蓋と排水栓の位置関係を示す説明図である。
【図４】本発明に係る第２実施例の洗面・洗髪ボール用排水蓋装置をボールに取付けた状態の断面図である。
【図５】（ａ）は排水が閉止位置の排水蓋の裏面図と排水蓋と排水栓との位置関係を示す側面図、（ｂ）は排水状態の排水蓋の裏面図と排水蓋と排水栓との位置関係を示す側面図である。
【発明を実施するための形態】
【００１７】
本発明は、排水口の内周面に閉状態とする谷部と開状態とする少なくとも１つの谷部を形成した排水栓と、該排水栓に嵌め込まれ外周面に前記谷部と係合する突起を形成した排水蓋とより構成した。
【実施例１】
【００１８】
以下、本発明に係る洗面・洗髪ボール用排水蓋装置の実施例を図１〜図３と共に説明する。
１は洗面ボールや洗髪用ボール（以下、ボールという）にして、底面には排水口１ａが形成されている。２は前記排水口１ａに後述する排水栓５を介して前記ボール１に水密状態に取付けられた排水管にして、内部にゴミや毛髪を集める排水カゴ３が着脱自在に取付けられている。なお、排水管２の下端にはＳ字状の排水トラップ４が取付けられている。
【００１９】
５は前記排水口１ａにパッキング５ａを介して水密状態で取付けられた円筒状の排水栓にして、開口部５ｂはテーパー状に形成されている。排水栓５の内周面には開口面からの深さが最も大きな閉状態用谷部５ｃと、該閉状態用谷部５ｃを挟んで一方は深さが小さな開状態用谷部５ｄおよび該開状態用谷部５ｄよりもさらに深さが小さい開状態用谷部５ｅが形成され、また、他方は閉状態用谷部５ｃから前記開状態用谷部５ｅおよび前記開状態用谷部５ｄが順次形成されている。
【００２０】
また、各谷部５ｃ〜５ｅは全て傾斜部５ｆを介して連接されており、かつ閉状態用谷部５ｃは全周で４個が形成されており、従って、開状態用谷部５ｄと５ｅも４個ずつ形成されている。なお、排水栓５の開口平面部には閉口位置を示す直線印と、大きく開口して大容量の排水を行う方向を示す大きい黒丸印、および小さく開口して小容量の排水を行う方向を示す小さい黒丸印が付されている。
【００２１】
６はボール１内に貯留された温水によって浮くことのない比重の大きな合成樹脂等によって構成された排水蓋にして、前記排水栓５の前記谷部５ｃ〜５ｅより上方に挿入される筒状部６ａと、操作者が手で回転するための操作部６ｂとから構成されている。そして、筒状部６ａの外周の相対向する２か所には前記谷部５ｃ〜５ｅおよび傾斜部５ｆ上を移動する突起６ｃが形成されている。また、前記操作部６ｂと筒状部６ａとの境目にはゴム等の弾性を有する閉止部６ｄが形成されている。この閉止部６ｄは前記排水栓５の開口部５ｂのテーパー面と同じ形状のテーバー面に形成されているので、排水蓋６を排水栓５の開口部５ｂに嵌め込むと閉止部６ｄが開口部５ｂのテーパー形状と一致するのでボール１からの水漏れは防止される。なお、操作部６ｂの頂面には筒状部６ａにおける突起６ｃの延長状に突起６ｃの位置の目印となる隆起部６ｅが形成されている。
【００２２】
次に、前記した構成に基づいて排水栓５と排水蓋６との作用について説明するに、先ず、排水蓋６の筒状部６ａを排水栓５の開口部上方から挿入すると、突起６ｃが排水栓５に形成されている谷部５ｃ〜５ｅあるいは傾斜部５ｆの何れかに当接した状態で停止する。この状態において操作部６ｂを手で把持しながら持ち上げることなく回転すると突起６ｃの下端が何れかの谷部５ｃ〜５ｅに入り込む。
【００２３】
そして、この状態において開口部５ｂを閉じるのであれば、排水蓋６における隆起部６ｅを排水栓５の開口平坦部に記されている直線印と合致する位置に合わせることで、排水蓋の突起６ｃが閉状態用谷部５ｃに位置するので、閉止部６ｄが開口部５ｂに当接して水密状態となる（図２ａ参照）。この状態において図示しない蛇口を開くと湯水は排水管２側に流れ出ることなくボール１内に貯留される。
【００２４】
次に、ボール１内に貯留された湯水を排水する場合について説明するに、排水を短時間で行いたいと思う場合には、図２ａにおいて排水蓋６を大きい黒丸印方向（時計方向）に回転すると突起６ｃは傾斜部５ｆにガイドされながら最も高い位置にある開状態用谷部５ｅに係合されて安定状態となり（図２ｂ参照）、排水蓋６から手を放しても閉止部６ｄと開口部５ｂとの大きな隙間から貯留されている湯水が大量に排出される。
【００２５】
また、ボール１内に湯水が貯留されている状態において、消音性を排水時間より優先する場合、すなわち、排水時間が長時間に渡っても少なくなればと思う場合には、図２ａにおいて排水蓋６を小さい黒丸印方向（反時計方向）に回転すると突起６ｃは傾斜部５ｆにガイドされながら開状態用谷部５ｄに係合されて安定状態となり（図２ｃ参照）、排水蓋６から手を放しても閉止部６ｄと開口部５ｂとの小さな隙間から貯留されている湯水が少しずつ、単位時間の排水量が少ない分静音的に排出される。
【００２６】
なお、排水蓋６が排水栓５に対して封止位置であるか、大量の湯水を排出する位置であるか、あるいは少しずつ排水する位置であるかは隆起部６ｅを目視することで容易に判断することができ、また、図３において排水栓５の開口平坦部に黒栓部を挟んで大小の黒丸印が記されているが、この大きな黒丸印方向に回転することで大量の排水が行われ、小さな黒丸印方向に回転することで少しずつ排水が行われることを示している。
【００２７】
なお、前記した実施例は開状態用谷部を２つ形成して排水量を２段階で行えるものについて説明したが、開状態用谷部を２つ以上形成することで排水量を開状態用谷部の数に応じた複数段階で行うことが可能である。
【００２８】
また、封止状態と開状態の１段階とすることも可能である。この実施例について図４、図５と共に説明する。なお、図面において第１の実施例と同一符号は同一部材を示し説明は省略する。
この実施例では排水栓５の内周面に４個の閉状態用谷部５ｃと、深さが同じ４個の開状態用谷部５ｇと、閉状態用谷部５ｃと開状態用谷部５ｇとを結ぶ傾斜部５ｆおよび該傾斜部５ｆとは反対側の閉状態用谷部５ｃと開状態用谷部５ｇとを結ぶ水平部５ｈとが形成されている。
【００２９】
次に、前記した構成に基づいて排水栓５と排水蓋６との作用について説明するに、前記した実施例と同様に突起６ｃが閉状態用谷部５ｃに係合されている状態（図５ａ参照）において排水蓋６を黒丸印方向（を時計方向）に回転すると、突起６ｃは傾斜部５ｆ上を移動して開状態用谷部５ｇに係合され係止され（図５ｂ参照）、排水蓋６の閉止部６ｄと排水栓５の開口部５ｂとの間に隙間できる。従って、ボール１内に貯留されている湯水は排水される。
【００３０】
なお、傾斜部５ｆと結ぶ閉状態谷部５ｃの反対側は垂直壁となっているので、排水蓋６を反時計方向に回転することできず、この実施例にあっては、一方向への回転のみとなる。
【００３１】
この状態において再びボール内に湯水を貯留するには、排水蓋６を前記の回転方向とは逆の反時計方向に回転するか、水平部５ｈ上を移動して閉状態谷部５ｃに突起６ｃを係合することで排水蓋６の閉止部６ｄと排水栓５の開口部５ｂとが水密状態となって貯留可能となる。
【符号の説明】
【００３２】
１                ボール
２                排水管
５                排水栓
５ｂ              開口部
５ｃ              閉状態用谷部
５ｃ〜５ｅ，５ｇ  開状態用谷部
５ｆ              傾斜部
６                排水蓋
６ａ              筒状部
６ｂ              操作部
６ｃ              突起
６ｄ              閉止部
【図１】
2010162097.tif 000003
【図２】
2010162097.tif 000004
【図３】
2010162097.tif 000005
【図４】
2010162097.tif 000006
【図５】
2010162097.tif 000007